(57)【要約】【課題】例えば３．３Ｋｇ仕様の全自動洗濯機など、大型の家庭電化製品を収容できるスペースをミニキッチンのキャビネット本体の内部に設けることを可能としたミニキッチン改造用の台輪を提供する。【解決手段】台輪１は、キャビネット本体６とこのキャビネット本体６が置かれるキッチン床面Ｆとの間に配置され、キャビネット本体６を含むミニキッチンＭＫ全体を底上げする台輪本体１０と、キャビネット本体６の底板として前記キッチン床面Ｆに配置されるとともに、キャビネット本体６の外部へ引き出し可能に設けられ、家庭電化製品Ｗが置かれる家電設置台１１と、を備えるものとする。【選択図】図１
2010148797.tif 000002
【特許請求の範囲】
【請求項１】
ミニキッチンを構成するキャビネット本体の内部に家庭電化製品の収納スペースを新設するための台輪であって、
前記台輪は、
前記キャビネット本体とこのキャビネット本体が置かれるキッチン床面との間に配置され、キャビネット本体を含むミニキッチン全体を底上げする台輪本体と、
前記キャビネット本体の底板として前記キッチン床面に配置されるとともに、前記キャビネット本体の外部へ引き出し可能に設けられ、前記家庭電化製品が置かれる家電設置台と、を備えてなることを特徴とするミニキッチン改造用の台輪。
【請求項２】
前記家庭電化製品は洗濯機であること
を特徴とする請求項１に記載のミニキッチン改造用の台輪。
【請求項３】
前記キャビネット本体の外部へ前記家電設置台をスライドにより引き出し可能とするスライド手段を備えること
を特徴とする請求項１又は２に記載のミニキッチン改造用の台輪。
【請求項４】
前記家電設置台の裏面に設置された戸車を有すること
を特徴とする請求項１又は２に記載のミニキッチン改造用の台輪。
【請求項５】
前記キャビネット本体の外部へ前記家電設置台をスライドにより引き出し可能とするスライド手段と、
前記家電設置台の裏面に設置された戸車と、を備え、
前記家電設置台上に置かれる家庭電化製品の重量を前記戸車で受けることによって、前記スライド手段に加わる前記家庭電化製品の負荷重量を軽減すること
を特徴とする請求項１又は２に記載のミニキッチン改造用の台輪。
【請求項６】
前記家電設置台は、プレートの周囲に枠を一体に形成してなる構造であって、その枠の内側に前記洗濯機からの漏水を捕集する防水パンとしての機能を備えること
を特徴とする請求項２に記載のミニキッチン改造用の台輪。
【発明の詳細な説明】
【技術分野】
【０００１】
本発明は、例えばワンルーム賃貸住宅等のように延床面積が小さい住宅に設置されるミニキッチンの改造、特に、ミニキッチンを構成するキャビネット本体の内部に家庭電化製品の収納スペースを新設するための台輪に関する。
【背景技術】
【０００２】
従来、この種の市販のミニキッチンは、カウンタートップの下に食品やキッチン用品等を収納するためのキャビネット本体（図２（ｂ）参照）を備えているが、下記事情１、２を背景に、そのキャビネット本体の内部に洗濯機の収容スペースを設ける改造が実施されている。この改造は例えば特許文献１に開示されている。
【０００３】
＜事情１＞
従来のワンルーム賃貸住宅は占有面積が少ないため、洗濯機は当該住宅の外廊下やベランダなど室外に設置することが多かった。そのため、風雨の日は洗濯ができず、また夜間の洗濯音が近所迷惑になる等の問題点があった。
【０００４】
＜事情２＞
かかる洗濯機をワンルーム賃貸住宅の部屋内に設置するとしたら、かなりの設置スペースが必要となり、このような洗濯機の設置スペースにより部屋内の居住スペースが削られてしまい、部屋を広く使うことができないという問題点が生じる。
【０００５】
しかしながら、従来のミニキッチンの改造では、キャビネット本体の高さが決まっていることから、キャビネット本体の高さ寸法を超える丈の高い大型の洗濯機、例えば３．３Ｋｇ仕様の全自動洗濯機を当該キャビネット本体の内部に収容することはできず、そのような全自動洗濯機を使用したいという最近のユーザのニーズに応じることはできない。この問題は、洗濯機だけでなく、洗濯機以外の他の大型の家庭電化製品をキャビネット本体の内部に収容しようとした場合も同様に生じる問題である。
【０００６】
【特許文献１】特開２００７−１６００５０号公報
【発明の開示】
【発明が解決しようとする課題】
【０００７】
本発明は上述の問題点を解決するためになされたもので、その目的とするところは、例えば３．３Ｋｇ仕様の全自動洗濯機など、大型の家庭電化製品を収容できるスペースをミニキッチンのキャビネット本体の内部に設けることを可能としたミニキッチン改造用の台輪を提供することにある。
【課題を解決するための手段】
【０００８】
前記目的を達成するために、本発明は、ミニキッチンを構成するキャビネット本体の内部に家庭電化製品の収納スペースを新設するための台輪であって、前記台輪は、前記キャビネット本体とこのキャビネット本体が置かれるキッチン床面との間に配置され、キャビネット本体を含むミニキッチン全体を底上げする台輪本体と、前記キャビネット本体の底板として前記キッチン床面に配置されるとともに、前記キャビネット本体の外部へ引き出し可能に設けられ、前記家庭電化製品が置かれる家電設置台と、を備えてなることを特徴とする。
【０００９】
前記本発明において、前記家庭電化製品は洗濯機であるものとしてもよい。
【００１０】
前記本発明においては、前記キャビネット本体の外部へ前記家電設置台をスライドにより引き出し可能とするスライド手段を備えてもよい。
【００１１】
前記本発明においては、前記家電設置台の裏面に設置された戸車を有する構成を採用することもできる。
【００１２】
前記本発明においては、前記キャビネット本体の外部へ前記家電設置台をスライドにより引き出し可能とするスライド手段と、前記家電設置台の裏面に設置された戸車と、を備え、前記家電設置台上に置かれる家庭電化製品の重量を前記戸車で受けることによって、前記スライド手段に加わる前記家庭電化製品の負荷重量を軽減するように構成することもできる。
【００１３】
前記家電設置台は、プレートの周囲に枠を一体に形成してなる構造であって、その枠の内側に前記洗濯機からの漏水を捕集する防水パンとしての機能を備えるように構成してもよい。
【発明の効果】
【００１４】
本発明にあっては、キャビネット本体とこのキャビネット本体が置かれるキッチン床面との間に配置される台輪本体によって、キャビネット本体を含むミニキッチン全体が底上げされるので、３．３Ｋｇ仕様の全自動洗濯機など、大型の家庭電化製品を収容できるスペースをミニキッチンのキャビネット本体の内部に設けることができ、そのような全自動洗濯機を使用したいという最近のユーザのニーズに応じることができる。
【発明を実施するための最良の形態】
【００１５】
以下、本発明を実施するための最良の形態について、添付した図面を参照しながら詳細に説明する。
【００１６】
図１は、本発明に係る台輪の斜視図、図２（ａ）は、図１の台輪を適用した後のミニキッチンの正面図、同図（ｂ）は、図１の台輪を適用する前のミニキッチンの正面図、図３は、図１のＡ−Ａ断面図、図４は図１のＢ−Ｂ断面図、図５は、図１の台輪を適用した後のミニキッチンの正面部分断面図である。
【００１７】
＜ミニキッチンの概要＞
図２（ｂ）のミニキッチンＭＫは、市販されているものであって、加熱調理機器２、シンク３及び水栓４を備えたカウンタートップ５と、カウンタートップ５の下面側に設けられるキャビネット本体６と、キャビネット本体６の正面に開閉可能に取り付けられる左右の扉７Ｒ、７Ｌと、左右の扉７Ｒ、７Ｌの閉合せ部８を境にして図５のようにキャビネット本体６内を２つの室９Ａ、９Ｂに仕切る仕切り板９とを含んで構成される。
【００１８】
加熱調理機器２は、２口タイプ又は１口タイプのＩＨヒーターを採用しているが、必要に応じて電気コンロ、ガスコンロ等、他の加熱調理機器を採用することもできる。
【００１９】
カウンタートップ５は、ＳＵＳ３０４等の錆に強いステンレスや、人造大理石で形成したもの等を採用することができる。カウンタートップ５の間口サイズ（左右方向の幅）Ｌは９００ｍｍ〜１５００ｍｍの範囲内において、例えば９００ｍｍ、１０５０ｍｍ、１２００ｍｍ、１５００ｍｍの中から必要に応じて適宜選択することができる。
【００２０】
また、カウンタートップ５は、その上方に立ち上がっている左右の側板５Ａ、５Ｂと背板５Ｃで囲まれていて、左右の側板５Ａ、５Ｂの正面上部には天板５Ｄが取り付けられている。なお、前記左右の側板５Ａ、５Ｂと背板５Ｃは、後述するキャビネット本体６の左右の側板６Ａ、６Ｂ、背板６Ｃと一体の構造でも分離可能な構造でもよいが、本実施形態では分離可能な構造を採用した。これは、カウンタートップ５を境にしてミニキッチンＭＫを上下に分割可能とすることで、ミニキッチンＭＫの搬送・設置・改造の作業性向上を図るためである。
【００２１】
シンク３は、一人住まいのワンルーム等に適したコンパクト仕様になっている。このシンク３は、錆に強いＳＵＳ３０４のステンレスで形成されているが、他の金属やプラスチックに置き換えられてもよいし、また、手入れがしやすいようにするため、このシンク３の表面には鏡面仕上げを施している。さらに、このシンク３の下面には、ゴミ収集機能と防臭機能付きの排水装置（図示省略）を設けている。
【００２２】
水栓４については、図２（ｂ）及び図３に示すような２バルブ仕様の混合水栓を採用できるほか、図示は省略するが、周知のシングルレバー形式の混合水栓を採用することもできる。
【００２３】
キャビネット本体６は、図５に示したように左右の側板６Ａ、６Ｂ、背板６Ｃ、及び底板６Ｄ、及び正面の巾木６Ｅからなり、その正面側が前記左右の扉７Ｒ、７Ｌによって開閉する構造になっている。また、図示は省略するが、このキャビネット本体６の上面は開口していて、その開口部を塞ぐように前記カウンタートップ５が当該キャビネット本体６に着脱自在に組み付けられている。
【００２４】
左右の扉７Ｒ、７Ｌは、キャビネット本体６のそれぞれの側板６Ａ、６Ｂに図示しないヒンジを介して取り付けられている。また、仕切り板９は、キャビネット本体６の底板６Ｄと背板６Ｃに一体に取り付け固定されることによって、キャビネット６内を前述のように２つの室９Ａ、９Ｂに仕切っており、左側の扉７Ｌを開くと、仕切り板９より左側の室９Ｂが現れ、右側の扉７Ｒを開くと、仕切り板９より右側の室９Ａが現れるように構成してある。
【００２５】
図２（ｂ）のミニキッチンＭＫでは、カウンタートップ５の上方に２段の吊り戸棚１６と水切り棚１７を設けているが、これらのいずれか一方を設ける構成を採用することもできる。
【００２６】
＜台輪の説明＞
図１の台輪１は、先に説明したミニキッチンＭＫの改造、特に、ミニキッチンＭＫを構成するキャビネット本体６の内部に家庭電化製品の収納スペースを新設するための手段として使用される。
【００２７】
かかる台輪１は、（１）ミニキッチンＭＫのキャビネット本体６とこのキャビネット本体６が置かれるキッチン床面Ｆとの間に配置され、キャビネット本体６を含むミニキッチンＭＫ全体を底上げする台輪本体１０と、（２）キャビネット本体６の底板としてキッチン床面Ｆに配置されるとともに、キャビネット本体６の外部へ引き出し可能に設けられ、家庭電化製品Ｗが置かれる家電設置台１１と、（３）キャビネット本体６の外部へ家電設置台１１をスライドにより引き出し可能とするスライド手段１２（図５参照）と、（４）家電設置台１１の裏面に設置された戸車１５（図５参照）と、を含んで構成される。
【００２８】
台輪本体１０は、両側板１０Ａ、１０Ｂとその間の中間板１０Ｃ、及びこれらを連結する後板１０Ｄからなり（図４参照）、両側板１０Ａ、１０Ｂ間の幅は、前記キャビネット本体６を構成する両側板６Ａ、６Ｂ間の幅と等しくなるようにしてある。台輪１とキャビネット本体６が違和感を生じさせることなく一体的に見えるようにするためである。
【００２９】
家電設置台１１は、プレート１１Ａの周囲に枠１１Ｂを一体に形成してなる構造であって、その枠１１Ｂの内側に洗濯機のような家庭電化製品Ｗからの漏水を捕集する防水パンとしての機能を備えている。
【００３０】
戸車１５は、その転がり動作で家電設置台１１を引き出しやすくする機能と、家電設置台１１上に設置される洗濯機のような家庭電化製品Ｗの重量を受けることによって、スライド手段１２に加わる家庭電化製品Ｗの重量負荷を軽減する機能を有している。この戸車１５は１個でもよく、複数設けてもよい。
【００３１】
スライド手段１２は、図５に示したように、一対のガイド１２Ａ、１２Ｂと、このガイド１２Ａ、１２Ｂにスライド可能に嵌合する一対のレール１２Ｃ、１２Ｄからなり、一方のレール１２Ｃは台輪本体１０の側板１０Ｂに取り付け固定し、他方のレール１２Ｄはその台輪本体１０の中間板１０Ｃに取り付け固定してある。また、一方のガイド１２Ｂは家電設置台１１の一側面に取り付け、他方のガイド１２Ｂはその家電設置台１１の反対の側面に取り付けてある。
【００３２】
次に、上記の如く構成された図１の台輪を使用して市販のミニキッチンを改造する例について、図２（ａ）（ｂ）及び図５を基に説明する。
【００３３】
なお、以下の改造例は、図２（ｂ）に示す市販のミニキッチンＭＫを構成するキャビネット本体６の内部に図２（ａ）に示す大型の家庭電化製品Ｗ、具体的には３．３Ｋｇ仕様の全自動洗濯機Ｗ１を収納できるスペースを設けるものとするが、収納の対象は全自動洗濯機Ｗ１に限定されない。
【００３４】
図２（ｂ）に示す市販のミニキッチンＭＫを改造する際は、最初に、図１の台輪１を図２（ｂ）のようにキッチン床面Ｆに配置し、次に、その台輪１の上にミニキッチンＭＫを設置する。これにより、ミニキッチンＭＫ全体が台輪１の高さ分だけ底上げされる。
【００３５】
そして、以下の工事と作業を行うことにより、キャビネット本体６の内部に３．３Ｋｇ仕様の全自動洗濯機Ｗ１を収納できるスペースが出来上がり、かかる全自動洗濯機Ｗ１をキャビネット本体６の内部から引き出して使用することが可能となる。
【００３６】
＜工事１＞
底上げされたミニキッチンＭＫの高さに合わせてミニキッチンＭＫ上部の下り壁２０を短く切断する工事を行う。これは、台輪１によってミニキッチンＭＫ全体が底上げされ、ミニキッチンＭＫ上部の下り壁２０とミニキッチンＭＫとが干渉するためである。なお、下り壁２０がない場合、この工事は不要である。
【００３７】
＜工事２＞
図２（ｂ）に示したキャビネット本体６正面の底板６Ｄ全体のうち、左右の扉７Ｌ、７Ｒの閉じ合せ部８から右側の部分は、全自動洗濯機Ｗ１の収容の邪魔になり不要であるので、図２（ａ）のように切断する。その切断した部分のキッチン床面Ｆには、キャビネット本体６の底板として、台輪１の家電設置台１１が配置される。
【００３８】
＜工事３＞
図２（ｂ）に示したキャビネット本体６の右側の扉７Ｒを、図２（ａ）のように大きい扉７Ｒに取り替える。右側の扉７Ｒが小さいままであると、ミニキッチンＭＫの正面から図１の台輪１が見えてしまい、ミニキッチンＭＫ全体の見栄えが悪くなるからである。見栄えを気にしないなら、扉７Ｒの取り替えは不要である。
【００３９】
＜工事４＞
図２（ｂ）に示したキャビネット本体６正面の巾木６Ｅ全体のうち、左右の扉７Ｌ、７Ｒの閉合せ部８から右側の部分を図２（ａ）のように切断する。その部分を残しておくとキャビネット本体６の中から全自動洗濯機Ｗ１を引き出すことができないからである。
【００４０】
＜工事５＞
仕切り板９に貫通孔１４（図５参照）を形成する。これは、左の室９Ｂにある水栓４の配管部（図示省略）から右の室９Ａに、全自動洗濯機Ｗ１の給水ホース１３Ａを導くようにするためである。
【００４１】
＜作業＞
家電設置台１１の上に全自動洗濯機Ｗ１を置き、全自動洗濯機Ｗ１の図示しない排水ホースをキッチン床面Ｆの図示しない洗濯機用排水口に挿入する。洗濯機用排水口がない場合はシンク３のために設けている図示しない排水口を利用することができる。また、給水ホース１３Ａを全自動洗濯機Ｗ１の図示しない給水口に接続する。
【００４２】
以上のように改造されたミニキッチンＭＫは、その右の扉７Ｒを開くと、家電設置台１１上に置かれた全自動洗濯機Ｗ１が現れる。そして、洗濯を行う際は、家電設置台１１と一緒に全自動洗濯機Ｗ１を手前に引き出して使用する。
【００４３】
全自動洗濯機Ｗ１での洗濯が終わったら、洗濯物を取り出した後、全自動洗濯機Ｗ１をキャビネット本体６の内部へ押し戻し、右側の扉７Ｒを閉めておく。その扉７Ｒを閉めることで、全自動洗濯機Ｗ１は隠れて外部から見えなくなるから、一見すると普通のキッチンのような見栄えになり、洗濯機の存在が圧迫感を与えたり、ミニキッチンＭＫ全体の見栄えを害したりすることもない。
【００４４】
先に説明した実施形態の台輪１では、スライド手段１２と戸車１５の双方を備えるものとしたが、図６のように、かかるスライド手段１２を省略して、戸車１５のみを備える構成を採用してもよい。この場合、家電設置台１１上に置かれる全自動洗濯機Ｗ１等の家庭電化製品の安定性との関係から、戸車１５は複数設けるのが好ましい。
【００４５】
また、先の実施形態では、市販のミニキッチンを改造してキャビネット本体６の内部に全自動洗濯機Ｗ１を収容する例について説明したが、冷蔵庫など洗濯機以外の家庭電化製品を収容するようにしてもよい。
【図面の簡単な説明】
【００４６】
【図１】本発明に係る台輪の斜視図。
【図２】（ａ）は図１の台輪を適用した後のミニキッチンの正面図、（ｂ）は図１の台輪を適用する前のミニキッチンの正面図。
【図３】図１のＡ−Ａ断面図。
【図４】図１のＢ−Ｂ断面図。
【図５】図１の台輪を適用した後のミニキッチンの正面部分断面図。
【図６】本発明に係る台輪の他の実施形態の説明図。
【符号の説明】
【００４７】
ＭＫ  ミニキッチン
１  台輪
２  加熱調理機器
３  シンク
４  水栓
５  カウンタートップ
６  キャビネット本体
６Ａ、６Ｂ  キャビネット本体の左右の側板
６Ｃ  キャビネット本体の背板
６Ｄ  キャビネット本体の底板
７Ｒ、７Ｌ  左右の扉
８  扉の閉合せ部
９Ａ、９Ｂ  室
９  仕切り板
１０  台輪本体
１０Ａ、１０Ｂ  台輪本体の両側板
１０Ｃ  台輪本体の中間板
１０Ｄ  台輪本体の後板
１１  家電設置台
１１Ａ  プレート
１１Ｂ  枠
１２  スライド手段
１３Ａ  給水ホース
１４  貫通孔
１５  戸車
１６  吊り戸棚
１７  水切り棚
１８  ポケット
１９  洗濯機用排水口
２０  下り壁
Ｆ  キッチン床面
Ｗ  家庭電化製品
Ｗ１  全自動洗濯機
【図１】
2010148797.tif 000003
【図２】
2010148797.tif 000004
【図３】
2010148797.tif 000005
【図４】
2010148797.tif 000006
【図５】
2010148797.tif 000007
【図６】
2010148797.tif 000008
【手続補正書】
【提出日】平成21年2月27日(2009.2.27)
【手続補正１】
【補正対象書類名】特許請求の範囲
【補正対象項目名】請求項１
【補正方法】変更
【補正の内容】
【請求項１】
ミニキッチンを構成するキャビネット本体の内部に家庭電化製品の収納スペースを新設するための台輪であって、
前記台輪は、
前記キャビネット本体とこのキャビネット本体が置かれるキッチン床面との間に配置され、キャビネット本体を含むミニキッチン全体を底上げする台輪本体と、
前記キャビネット本体の底板として前記キッチン床面に配置されるとともに、前記キャビネット本体の外部へ引き出し可能に設けられ、前記家庭電化製品が置かれる家電設置台と、を備え、
前記台輪本体は、前記キャビネット本体を構成する両側板と等しい幅で配置される一対の側板、一対の側板間に配置される中間板、及び、一対の側板と中間板とを連結する後板からなるとともに、その一方の側板と中間板との間の空間が前記キャビネット本体の内部空間に連通することによって、キャビネット本体の内部空間を台輪本体の高さ分だけ拡張すること
を特徴とするミニキッチン改造用の台輪。
【手続補正２】
【補正対象書類名】明細書
【補正対象項目名】０００８
【補正方法】変更
【補正の内容】
【０００８】
前記目的を達成するために、本発明は、ミニキッチンを構成するキャビネット本体の内部に家庭電化製品の収納スペースを新設するための台輪であって、前記台輪は、前記キャビネット本体とこのキャビネット本体が置かれるキッチン床面との間に配置され、キャビネット本体を含むミニキッチン全体を底上げする台輪本体と、前記キャビネット本体の底板として前記キッチン床面に配置されるとともに、前記キャビネット本体の外部へ引き出し可能に設けられ、前記家庭電化製品が置かれる家電設置台と、を備え、前記台輪本体は、前記キャビネット本体を構成する両側板と等しい幅で配置される一対の側板、一対の側板間に配置される中間板、及び、一対の側板と中間板とを連結する後板からなるとともに、その一方の側板と中間板との間の空間が前記キャビネット本体の内部空間に連通することによって、キャビネット本体の内部空間を台輪本体の高さ分だけ拡張することを特徴とする。